(57)【要約】      （修正有）【課題】封函テープを用いなくても、フラットな内面を有し、かつ強度の大きい底部を組み立て可能な箱用シートを提供する。【解決手段】箱用シート１０は、左右方向に交互に連接される一対の第１側面パネル１ａ、１ｂ及び一対の第２側面パネル２ａ、２ｂと、一方の第１側面パネルの下縁から延出する底内フラップ３と、他方の第１側面パネルの下縁から延出し、底内フラップの下側に折り重ねられる底外フラップ４と、一対の第２側面パネルの下縁から延出される一対の底中フラップ５ａ、５ｂとを備え、底外フラップが矩形状の本体１１及び本体の先端縁から突出する凸部１２を有し、底内フラップが延出長さが第２側面パネルの左右方向長さと等しい矩形状で、基端側に凸部が挿入される開口１３を有し、一対の底中フラップの先端縁同士が、底内フラップ及び底外フラップの間に配置された状態で互いに突き合わされる。【選択図】図１
0003232968.tif 000002
【実用新案登録請求の範囲】
【請求項１】
箱体に組み立てられる箱用シートであって、
左右方向に交互に連接される一対の第１側面パネル及び一対の第２側面パネルと、
一方の上記第１側面パネルの下縁から延出する底内フラップと、
他方の上記第１側面パネルの下縁から延出し、上記底内フラップの下側に折り重ねられる底外フラップと、
上記一対の第２側面パネルの下縁から延出し、上記底内フラップ及び上記底外フラップの間に配置される一対の底中フラップと
を備え、
上記底外フラップが、矩形状の本体及びこの本体の先端縁から突出する凸部を有し、
上記底内フラップが、延出長さが上記第２側面パネルの左右方向長さと等しい矩形状で、かつ基端側に上記凸部が挿入される開口が設けられており、
上記一対の底中フラップの先端縁同士が、上記底内フラップ及び上記底外フラップの間に配置された状態で、互いに突き合わされる箱用シート。
【請求項２】
上記一対の底中フラップの、組立状態で上記底内フラップの基端縁に隣接する側の側縁が、基端側から先端側に向けて幅方向の内側に傾斜する傾斜領域を有し、
組立状態における平面視において、上記側縁が上記傾斜領域で上記本体の先端縁と交差している請求項１に記載の箱用シート。
【請求項３】
上記開口が、上記底内フラップの先端側から基端側に向けて凸のＵ字状のスリットによって形成されている請求項１又は請求項２に記載の箱用シート。
【請求項４】
上記底内フラップの延出長さに対する上記開口と上記底内フラップの基端縁との間隔の比が０．１０以上０．２０以下である請求項１、請求項２又は請求項３に記載の箱用シート。
【請求項５】
上記本体の幅方向の両側に、基端側から先端側に向けて幅方向の内側に傾斜して延びる折り曲げ容易線が設けられている請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に用いられている。この段ボールシートとしては、左右方向に交互に連接される一対の第１側面パネル及び一対の第２側面パネルと、上記第１側面パネル及び上記第２側面パネルの上縁からそれぞれ延出する上フラップと、上記第１側面パネル及び上記第２側面パネルの下縁からそれぞれ延出する下フラップとを有し、Ａ式（ミカン箱タイプ）の箱体に組み立て可能な構成のものが公知である。通常、Ａ式の箱体は、対向する下フラップ同士の合わせ目に封函テープを貼着することで底部が組み立てられる。
【０００３】
一方で、封函テープを用いずに箱体の底部を組み立て可能な段ボールシートも提案されている。封函テープを用いずに底部を組み立て可能な箱体として、いわゆるアメリカンロックタイプの箱体が存在している。また、一対の下側外フラップ同士を内側に折り曲げていくことで、これらの下側外フラップの先端縁に設けられている係合構造を係合し、底部を組み立て可能な構成のものも発案されている（特許第４６２８４８７号公報参照）。
【先行技術文献】
【特許文献】
【０００４】
【特許文献１】特許第４６２８４８７号公報
【考案の概要】
【考案が解決しようとする課題】
【０００５】
しかしながら、アメリカンロックタイプの箱体は、底部の内面をフラットに保ち難く、箱体内に収容されている物品（以下、単に「内容物」ともいう。）を安定的に保持できない場合がある。また、特許文献１に記載されている箱体は、内容物の重量が大きい場合に、一対の下側外フラップ同士の係合状態を保ち難くなるおそれがある。
【０００６】
本考案は、このような事情に基づいてなされたものであり、封函テープを用いなくても、フラットな内面を有し、かつ強度の大きい底部を組み立て可能な箱用シートを提供することを目的とする。
【課題を解決するための手段】
【０００７】
上記課題を解決するためになされた本考案の一態様に係る箱用シートは、箱体に組み立てられる箱用シートであって、左右方向に交互に連接される一対の第１側面パネル及び一対の第２側面パネルと、一方の上記第１側面パネルの下縁から延出する底内フラップと、他方の上記第１側面パネルの下縁から延出し、上記底内フラップの下側に折り重ねられる底外フラップと、上記一対の第２側面パネルの下縁から延出し、上記底内フラップ及び上記底外フラップの間に配置される一対の底中フラップとを備え、上記底外フラップが、矩形状の本体及びこの本体の先端縁から突出する凸部を有し、上記底内フラップが、延出長さが上記第２側面パネルの左右方向長さと等しい矩形状で、かつ基端側に上記凸部が挿入される開口が設けられており、上記一対の底中フラップの先端縁同士が、上記底内フラップ及び上記底外フラップの間に配置された状態で、互いに突き合わされる。
【考案の効果】
【０００８】
本考案の一態様に係る箱用シートは、封函テープを用いなくても、フラットな内面を有し、かつ強度の大きい底部を組み立て可能である。
【図面の簡単な説明】
【０００９】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体のＩＩＩ−ＩＩＩ線断面図である。
【図４】図４は、図２の箱体の底部を組み立てるに際して底内フラップの下側に一対の底中フラップを重ね合わせた状態を示す模式的底面図である。
【図５】図５は、図２の箱体の底部を組み立てるに際して底内フラップの開口に底外フラップの凸部を挿入する手順を示す模式的底面図である。
【図６】図６は、図２の箱体の模式的底面図である。
【考案を実施するための形態】
【００１０】
［本考案の実施形態の説明］
最初に本考案の実施態様を列記して説明する。
【００１１】
本考案の一態様に係る箱用シートは、箱体に組み立てられる箱用シートであって、左右方向に交互に連接される一対の第１側面パネル及び一対の第２側面パネルと、一方の上記第１側面パネルの下縁から延出する底内フラップと、他方の上記第１側面パネルの下縁から延出し、上記底内フラップの下側に折り重ねられる底外フラップと、上記一対の第２側面パネルの下縁から延出し、上記底内フラップ及び上記底外フラップの間に配置される一対の底中フラップとを備え、上記底外フラップが、矩形状の本体及びこの本体の先端縁から突出する凸部を有し、上記底内フラップが、延出長さが上記第２側面パネルの左右方向長さと等しい矩形状で、かつ基端側に上記凸部が挿入される開口が設けられており、上記一対の底中フラップの先端縁同士が、上記底内フラップ及び上記底外フラップの間に配置された状態で、互いに突き合わされる。
【００１２】
当該箱用シートは、上記底内フラップが、延出長さが上記第２側面パネルの左右方向長さと等しい矩形状であり、かつ上記一対の底中フラップの先端縁同士が、上記底内フラップ及び上記底外フラップの間に配置された状態で互いに突き合わされるので、箱体の内面をフラットに保つことができる。当該箱用シートは、上記底外フラップが、本体の先端縁から突出する凸部を有し、上記底内フラップの基端側に上記凸部が挿入される開口が設けられているので、上記凸部を上記開口に挿入することで、封函テープを用いなくても箱体の底部を組み立てることができる。当該箱用シートは、上記底内フラップが、延出長さが上記第２側面パネルの左右方向長さと等しい矩形状であり、かつ上記開口がこの底内フラップの基端側に設けられていることに加え、上記一対の底中フラップの先端縁同士が互いに突き合わされるので、箱体の底部の強度を大きくすることができる。
【００１３】
上記一対の底中フラップの、組立状態で上記底内フラップの基端縁に隣接する側の側縁が、基端側から先端側に向けて幅方向の内側に傾斜する傾斜領域を有し、組立状態における平面視において、上記側縁が上記傾斜領域で上記本体の先端縁と交差しているとよい。このように、上記一対の底中フラップの、組立状態で上記底内フラップの基端縁に隣接する側の側縁が、基端側から先端側に向けて幅方向の内側に傾斜する傾斜領域を有し、組立状態における平面視において、上記側縁が上記傾斜領域で上記本体の先端縁と交差していることによって、上記開口に対する上記凸部の挿入の容易化を図りつつ、箱体の底部の強度を十分に大きくすることができる。
【００１４】
上記開口が、上記底内フラップの先端側から基端側に向けて凸のＵ字状のスリットによって形成されているとよい。このように、上記開口が、上記底内フラップの先端側から基端側に向けて凸のＵ字状のスリットによって形成されていることによって、箱体の底部の強度を高めつつ、上記開口に上記凸部をより容易に挿入することができる。
【００１５】
上記底内フラップの延出長さに対する上記開口と上記底内フラップの基端縁との間隔の比としては、０．１０以上０．２０以下が好ましい。このように、上記底内フラップの延出長さに対する上記開口と上記底内フラップの基端縁との間隔の比が上記範囲内であることによって、箱体の底部の強度をより高めることができる。
【００１６】
上記本体の幅方向の両側に、基端側から先端側に向けて幅方向の内側に傾斜して延びる折り曲げ容易線が設けられているとよい。このように、上記本体の幅方向の両側に、基端側から先端側に向けて幅方向の内側に傾斜して延びる折り曲げ容易線が設けられていることによって、上記開口に上記凸部をより容易に挿入することができる。
【００１７】
なお、本考案において、「左右方向」とは、箱用シートを組み立ててなる箱体において想定される一般的な使用態様における水平方向をいう。また、「下」とは、上記左右方向を基準とする下を意味する。「矩形状」とは、完全な矩形に限定されず、例えば部分的に凹凸が形成されている形状や、角部が面取りされている形状を含む。「Ｕ字状」とは、角Ｕ字状や、角Ｕ字状に近似した形状を含む。
【００１８】
［本考案の実施形態の詳細］
以下、適宜図面を参照しつつ、本考案の実施の形態を詳説する。
【００１９】
［箱用シート］
図１の箱用シート１０は、左右方向に交互に連接される一対の第１側面パネル１ａ、１ｂ及び一対の第２側面パネル２ａ、２ｂと、一方の第１側面パネル１ａの下縁から延出する底内フラップ３と、他方の第１側面パネル１ｂの下縁から延出し、底内フラップ３の下側に折り重ねられる底外フラップ４と、一対の第２側面パネル２ａ、２ｂの下縁から延出し、底内フラップ３及び底外フラップ４の間に配置される一対の底中フラップ５ａ、５ｂとを備える。また、当該箱用シート１０は、一対の第１側面パネル１ａ、１ｂの上縁から延出する一対の蓋外フラップ６ａ、６ｂと、一対の第２側面パネル２ａ、２ｂの上縁から延出する一対の蓋内フラップ７ａ、７ｂと、左右方向外側（図１では左右方向左側）に位置する第１側面パネル１ａの左右方向外側の側縁から延出する糊代８とを備える。
【００２０】
底外フラップ４は、矩形状の本体１１及び本体１１の先端縁から突出する凸部１２を有する。底内フラップ３は、延出長さＬ１が第２側面パネル２ａ、２ｂの左右方向長さＬ２と等しい矩形状である。底内フラップ３の基端側には凸部１２が挿入される開口１３が設けられている。一対の底中フラップ５ａ、５ｂは、底内フラップ３及び底外フラップ４の間に配置された状態で、先端縁同士が互いに突き合わされる。なお、本明細書において、「上」とは、箱用シートを組み立ててなる箱体において想定される一般的な使用態様における上を意味する。また、図１において、太い実線はシートを切断して形成される切断線を示し、細い実線はシートの内面（箱体に組み立てられた状態で内側に位置する面）を筋押しして形成される罫線を示す。
【００２１】
当該箱用シート１０は、図２及び図３に示す箱体２０に組み立てられる。当該箱用シート１０を箱体２０に組み立てる手順について説明する。まず、左右方向外側（図１では左右方向左側）に位置する第１側面パネル１ａをこの第１側面パネル１ａに連接される第２側面パネル２ａの内面に折り重ね、左右方向外側（図１では左右方向右側）に位置する第２側面パネル２ｂをこの第２側面パネル２ｂに連接される第１側面パネル１ｂの内面に折り重ね、糊代８を折り重ねられた第２側面パネル２ｂの内面に貼着する。続いて、無端状に接続された一対の第１側面パネル１ａ、１ｂ及び一対の第２側面パネル２ａ、２ｂを四角筒状に広げたうえ、箱体２０の底部を組み立てる。
【００２２】
箱体２０の底部を組み立てるに当たっては、まず図４に示すように、底内フラップ３を内側に略垂直に折り曲げ、続いて一対の底中フラップ５ａ、５ｂを底内フラップ３の下面に当接するように内側に折り曲げる。続いて、底外フラップ４を内側に折り曲げ、底外フラップ４を一対の底中フラップ５ａ、５ｂの下面側に折り重ねる。この状態から、図５に示すように、底外フラップ４の凸部１２が底内フラップ３の開口１３を超える位置まで底外フラップ４を内側に押し込む。次に、この状態で底外フラップ４の押し込みを解除する。底外フラップ４の押し込みを解除することで、シートの反力等によって底外フラップ４が水平方向に押し戻されると共に、この過程で凸部１２が開口１３に挿入される。その結果、図６に示すように、箱体２０の底部が組み立てられる。
【００２３】
箱体２０の底部が組み立てられた後は、箱体２０内に所望の物品を収容する。その後、一対の蓋内フラップ７ａ、７ｂを内側に略垂直に折り曲げ、さらに一対の蓋外フラップ６ａ、６ｂを内側に略垂直に折り曲げる。これにより、図２及び図３の箱体２０が組み立てられる。なお、一対の蓋外フラップ６ａ、６ｂ同士の合わせ目には、封函テープ（不図示）を貼着して箱体２０の蓋部を封止してもよい。
【００２４】
当該箱用シート１０は、１枚のシートから形成されている。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。当該箱用シート１０が段ボールシートである場合、上記中芯の稜線方向は上下方向と平行であることが好ましい。
【００２５】
（第１側面パネル）
一対の第１側面パネル１ａ、１ｂは矩形状かつ略同一形状に形成されている。第１側面パネル１ａ、１ｂの左右方向長さは第２側面パネル２ａ、２ｂの左右方向長さよりも大きい。つまり、第１側面パネル１ａ、１ｂは、箱体２０における長さ面を構成する長さ面パネルである。
【００２６】
第１側面パネル１ａ、１ｂの左右方向長さとしては、箱体２０に収容する物品の大きさや数量等に基づいて適宜設定可能であるが、例えば３０ｃｍ以上６０ｃｍ以下とすることができる。第１側面パネル１ａ、１ｂの上下方向長さとしては、箱体２０に収容する物品の大きさや数量等に基づいて適宜設定可能であるが、例えば５ｃｍ以上３０ｃｍ以下とすることができる。
【００２７】
（第２側面パネル）
一対の第２側面パネル２ａ、２ｂは矩形状かつ略同一形状に形成されている。第２側面パネル２ａ、２ｂは、箱体２０における幅面を構成する幅面パネルである。第２側面パネル２ａ、２ｂの左右方向長さとしては、箱体２０に収容する物品の大きさや数量等に基づいて適宜設定可能であるが、例えば１５ｃｍ以上４０ｃｍ以下とすることができる。第２側面パネル２ａ、２ｂの上下方向長さとしては、第１側面パネル１ａ、１ｂの上下方向長さと同じとすることができる。
【００２８】
第２側面パネル２ａ、２ｂには、手掛け穴形成用の舌片１４が設けられていてもよい。例えば舌片１４は、左右方向に延びる折り曲げ容易線１４ａとこの折り曲げ容易線１４ａの両端部に接続され、下方に凸なスリット１４ｂとによって画定することができる。
【００２９】
（底内フラップ）
上述のように、底内フラップ３は矩形状である。底内フラップ３の幅は、第１側面パネル１ａの左右方向長さと略等しい。また、底内フラップ３の延出長さＬ１は、第２側面パネル２ａ、２ｂの左右方向長さＬ２と等しい。「底内フラップ３の延出長さＬ１が、第２側面パネル２ａ、２ｂの左右方向長さＬ２と等しい」とは、第２側面パネル２ａ、２ｂの左右方向長さＬ２と底内フラップ３の延出長さＬ１の差が１５ｍｍ以下であることをいう。また、第２側面パネル２ａ、２ｂの左右方向長さＬ２と底内フラップ３の延出長さＬ１の差の上限としては、１０ｍｍが好ましい。一方、第２側面パネル２ａ、２ｂの左右方向長さＬ２と底内フラップ３の延出長さＬ１の差の下限としては、０ｍｍが好ましい。当該箱用シート１０は、底内フラップ３の延出長さＬ１が第２側面パネル２ａ、２ｂの左右方向長さＬ２と等しいことで、図３に示すように、箱体２０の底部の内面をフラットにすることがきる。
【００３０】
上述のように、底内フラップ３には、底外フラップ４の凸部１２が挿入される開口１３が設けられている。開口１３は、底内フラップ３の基端側における幅方向の中央部分に設けられている。当該箱用シート１０は、開口１３が底内フラップ３の基端側に設けられていることで、箱体２０の底抜けを抑制しやすい。詳しく説明すると、底内フラップ３は、延出長さＬ１が第２側面パネル２ａ、２ｂの左右方向長さＬ２と等しい矩形状であることで、箱体２０の底部の内面をフラットに形成できる。また、底内フラップ３は、箱体２０に組み立てられた状態で、一対の底中フラップ５ａ、５ｂによって下方から支持される。さらに、底内フラップ３の基端側に開口１３が設けられていることで、一対の底中フラップ５ａ、５ｂを挟んで、底外フラップ４が底内フラップ３の下面側の略全領域を覆うことになる。そのため、底内フラップ３の基端側の領域は、内容物等によって上方から荷重が加えられた場合でも、水平方向に維持されやすい。その結果、開口１３に凸部１２が挿入された状態を安定的に保ちやすく、箱体２０の底抜けを容易に抑制することができる。
【００３１】
開口１３は、底内フラップ３の先端側から基端側に向けて凸のＵ字状のスリットによって形成されている。この構成によると、図５に示すように、底外フラップ４の凸部１２を底内フラップ３の開口１３を超える位置まで押し込み、この状態で底外フラップ４の押し込みを解除することで、上記スリットによって画定される舌片１５がシートの反力によって押し戻され、凸部１２を開口１３に隙間なく容易かつ確実に挿入することができる。その結果、箱体２０の底部の強度を高めることができる。
【００３２】
図１に示すように、底内フラップ３には、上記スリットの両端部に接続される折り曲げ容易線１６が形成されている。この折り曲げ容易線１６は、例えば複数の切込みと、シートの内面を筋押しして形成された複数の罫線とが交互に配置されたリード罫線とすることができる。当該箱用シート１０は、折り曲げ容易線１６を有することで、開口１３に凸部１２をより容易に挿入することができる。
【００３３】
底内フラップ３の延出長さＬ１に対する開口１３と底内フラップ３の基端縁との間隔Ｌ３の比（Ｌ３／Ｌ１）の下限としては、０．１０が好ましく、０．１２がより好ましい。一方、上記比の上限としては、０．２０が好ましく、０．１５がより好ましい。上記比が上記下限に満たないと、凸部１２を開口１３に挿入し難くなるおそれがある。逆に、上記比が上記上限を超えると、箱体２０の底抜けを十分に抑制し難くなるおそれがある。なお、「開口と底内フラップの基端縁との間隔」とは、開口と底内フラップの基端縁との最短距離を意味する。
【００３４】
底内フラップ３の基端縁のうち、開口１３の基端側に位置する部分には、複数の切込みと、シートの内面を筋押しして形成された複数の罫線とが交互に配置されたリード罫線１７が設けられていることが好ましい。このように、リード罫線１７を設けることで、第１側面パネル１ａに対して底内フラップ３を容易かつ確実に折り曲げることができる。
【００３５】
（底外フラップ）
上述のように、底外フラップ４は、矩形状の本体１１と、本体１１の先端縁から突出する凸部１２とを有する。本体１１の幅は、第１側面パネル１ｂの左右方向長さと略等しい。
【００３６】
本体１１の幅方向の両側には、基端側から先端側に向けて幅方向の内側に傾斜して延びる折り曲げ容易線１８が設けられている。この構成によると、図５に示すように、底外フラップ４を内側に押し込む際に、折り曲げ容易線１８が折れ曲がることで、凸部１２を奥まで押し込みやすくなる。その結果、開口１３に凸部１２をより容易に挿入することができる。
【００３７】
図３に示すように、箱体２０に組み立てられた状態で、凸部１２の先端縁と第１側面パネル１ａの内面とは離間していることが好ましい。この構成によると、開口１３に凸部１２を容易に挿入しやすい。
【００３８】
（底中フラップ）
一対の底中フラップ５ａ、５ｂは、略同一形状に形成されている。底中フラップ５ａ、５ｂの基端縁の幅は、第２側面パネル２ａ、２ｂの左右方向長さＬ２と略等しい。上述のように、底中フラップ５ａ、５ｂは、箱体２０に組み立てられた状態で先端縁同士が突き合わされる。底中フラップ５ａ、５ｂの延出方向長さとしては、第１側面パネル１ａ、１ｂの左右方向長さの略１／２とすることができる。
【００３９】
図４に示すように、底中フラップ５ａ、５ｂは、組立状態で底内フラップ３の基端縁に隣接する側の側縁が、基端側から先端側に向けて幅方向の内側に傾斜する傾斜領域１９ａを有する。当該箱用シート１０は、上記側縁が傾斜領域１９ａを有することで、底中フラップ５ａ、５ｂが折り重ねられた状態における開口１３の露出面積を大きくして、開口１３に対する凸部１２の挿入の容易化を図ることができる。
【００４０】
図６に示すように、底中フラップ５ａ、５ｂは、組立状態における平面視において、上記側縁が傾斜領域１９ａで本体１１の先端縁と交差している。当該箱用シート１０は、上記側縁が傾斜領域１９ａで本体１１の先端縁と交差していることによって、底中フラップ５ａ、５ｂと底内フラップ３との当接面積を十分に大きくすることができる。その結果、箱体２０の底部の強度を十分に大きくすることができる。
【００４１】
図４に示すように、底中フラップ５ａ、５ｂの組立状態で底外フラップ４の基端縁に隣接する側の側縁１９ｂは、底中フラップ５ａ、５ｂの基端縁と垂直な方向に延びている。底中フラップ５ａ、５ｂは、側縁１９ｂが底中フラップ５ａ、５ｂの基端縁と垂直な方向に延びていることで、底内フラップ３の先端側の全領域を下方から支持することができる。その結果、箱体２０の底部を水平に維持しやすい。
【００４２】
（蓋外フラップ）
一対の蓋外フラップ６ａ、６ｂは、略同一形状に形成されている。蓋外フラップ６ａ、６ｂは、第１側面パネル１ａ、１ｂの左右方向長さと略同幅の矩形状である。蓋外フラップ６ａ、６ｂの延出方向長さは、第２側面パネル２ａ、２ｂの左右方向長さの略１／２である。
【００４３】
（蓋内フラップ）
一対の蓋内フラップ７ａ、７ｂは、略同一形状に形成されている。蓋内フラップ７ａ、７ｂは、第２側面パネル２ａ、２ｂの左右方向長さと略同幅の矩形状である。蓋内フラップ７ａ、７ｂの延出方向長さは、蓋外フラップ６ａ、６ｂの延出方向長さと同じとすることができる。
【００４４】
＜利点＞
当該箱用シート１０は、底内フラップ３が、延出長さＬ１が第２側面パネル２ａ、２ｂの左右方向長さＬ２と等しい矩形状であり、かつ一対の底中フラップ５ａ、５ｂの先端縁同士が、底内フラップ３及び底外フラップ４の間に配置された状態で互いに突き合わされるので、箱体２０の内面をフラットに保つことができる。当該箱用シート１０は、底外フラップ４が、本体１１の先端縁から突出する凸部１２を有し、底内フラップ３の基端側に凸部１２が挿入される開口１３が設けられているので、凸部１２を開口１３に挿入することで、封函テープを用いなくても箱体２０の底部を組み立てることができる。当該箱用シート１０は、底内フラップ３が、延出長さＬ１が第２側面パネル２ａ、２ｂの左右方向長さと等しい矩形状であり、かつ開口１３がこの底内フラップ３の基端側に設けられていることに加え、一対の底中フラップ５ａ、５ｂの先端縁同士が互いに突き合わされるので、箱体２０の底部の強度を大きくすることができる。
【００４５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４６】
上記実施形態では、第１側面パネルが長さ面パネルで、第２側面パネルが幅面パネルである構成について説明した。但し、当該箱用シートは、上記第１側面パネルが幅面パネルを構成し、上記第２側面パネルが長さ面パネルを構成するよう設けられてもよく、第１側面パネルの左右方向長さと第２側面パネルの左右方向長さとが同じであってもよい。
【００４７】
上記一対の底中フラップは、箱体に組み立てられた状態で先端縁同士が突き合わされるように構成されている限り、その他の具体的な形状は特に限定されるものではない。例えば上記底中フラップは、互いに平行に延びる一対の側縁を有していてもよい。また、上記一対の底中フラップ同士の形状は、互いに相違していてもよい。
【００４８】
上記開口の具体的な構成は、上記実施形態の構成に限定されない。例えば上記開口は、底内フラップの基端側を矩形状等に打ち抜いて形成されたものであってもよい。
【００４９】
上記底外フラップの本体の幅方向の両側には、上述の折り曲げ容易線は設けられていなくてもよい。当該箱用シートは、上記本体に折り曲げ容易線が設けられていない場合でも、上記底外フラップを適切に押し込むことで、この底外フラップに形成されている凸部を底内フラップに形成されている開口に挿入することができる。
【００５０】
上記第２側面パネルには、上述の手掛け穴形成用の舌片は設けられていなくてもよい。また、上記第２側面パネルに手掛け穴形成用の舌片が設けられている場合でも、この舌片の具体的な構成は特に限定されるものではない。
【００５１】
当該箱用シートから組み立てられる箱体における蓋部の構成は特に限定されるものではない。例えばこの蓋部は、１枚のフラップから構成されていてもよい。
【産業上の利用可能性】
【００５２】
以上のように、本考案の一態様に係る箱用シートは、封函テープを用いなくても、フラットな内面を有し、かつ強度の大きい底部を有する箱体に組み立て可能であるので、物品の運搬、保管等に好適に用いられる。
【符号の説明】
【００５３】
１ａ、１ｂ  第１側面パネル
２ａ、２ｂ  第２側面パネル
３  底内フラップ
４  底外フラップ
５ａ、５ｂ  底中フラップ
６ａ、６ｂ  蓋外フラップ
７ａ、７ｂ  蓋内フラップ
８  糊代
１０  箱用シート
１１  本体
１２  凸部
１３  開口
１４  舌片
１４ａ  折り曲げ容易線
１４ｂ  スリット
１５  舌片
１６  折り曲げ容易線
１７  リード罫線
１８  折り曲げ容易線
１９ａ  傾斜領域
１９ｂ  側縁
２０  箱体
Ｌ１  底内フラップの延出長さ
Ｌ２  第２側面パネルの左右方向長さ
Ｌ３  開口と底内フラップの基端縁との間隔
【図１】
0003232968.tif 000003
【図２】
0003232968.tif 000004
【図３】
0003232968.tif 000005
【図４】
0003232968.tif 000006
【図５】
0003232968.tif 000007
【図６】
0003232968.tif 000008